(57)【要約】【課題】画像形成装置の警告等を容易に認識可能な画像形成装置を提供する。【解決手段】装置本体の異常を知らせる表示部として第２の表示灯２３を少なくとも備える画像形成装置１０を構成する。装置本体と、装置本体に設けられた表示部（第２の表示灯２３）と、装置本体に異常が生じたときに、表示部（第２の表示灯２３）を動かす制御部と、を備える画像形成装置１０を構成する。表示部として第２の表示灯２３が用いられ、装置本体に異常が生じたときに、第２の表示灯２３が突出する。表示部として第２の表示灯２３が用いられ、装置本体に異常が生じたときに、第２の表示灯２３が赤色に点灯もしくは点滅する。又は、装置本体に異常が生じたときに、第２の表示灯２３が赤色と青色とに交互点滅する。更に、装置本体に異常が生じたときに、装置本体から音が発せられる。更に、装置本体に異常が生じたときに、装置本体が振動する。【選択図】図３
2014151516.tif 000002
【特許請求の範囲】
【請求項１】
装置本体と、
前記装置本体に設けられた表示部と、
前記装置本体に異常が生じたときに前記表示部を動かす制御部と、
を備えることを特徴とする画像形成装置。
【請求項２】
前記表示部として表示灯が用いられ、前記装置本体に異常が生じたときに、前記表示灯が突出することを特徴とする請求項１記載の画像形成装置。
【請求項３】
前記表示部として表示灯が用いられ、前記装置本体に異常が生じたときに、前記表示灯が赤色に点灯もしくは点滅することを特徴とする請求項１又は２記載の画像形成装置。
【請求項４】
前記表示部として表示灯が用いられ、前記装置本体に異常が生じたときに、前記表示灯が赤色と青色とに交互点滅することを特徴とする請求項１乃至３の何れか１項に記載の画像形成装置。
【請求項５】
前記表示部として操作パネルが用いられ、前記装置本体に異常が生じたときに、前記操作パネルが立ち上がることを特徴とする請求項１記載の画像形成装置。
【請求項６】
前記表示部として操作パネルが用いられ、前記装置本体に異常が生じたときに、前記操作パネルの文字表示が点滅表示もしくは強調文字表示の何れか一方または両方に変更されることを特徴とする請求項１又は５記載の画像形成装置。
【請求項７】
前記装置本体に異常が生じたときに、前記装置本体から音が発せられることを特徴とする請求項１乃至６の何れか１項に記載の画像形成装置。
【請求項８】
前記装置本体に異常が生じたときに、前記装置本体から音が断続して発せられることを特徴とする請求項１乃至７の何れか１項に記載の画像形成装置。
【請求項９】
前記装置本体に異常が生じたときに、前記装置本体が振動することを特徴とする請求項１乃至８の何れか１項に記載の画像形成装置。
【請求項１０】
前記装置本体に異常が生じたときに、前記装置本体が断続して振動することを特徴とする請求項１乃至９の何れか１項に記載の画像形成装置。
【発明の詳細な説明】
【技術分野】
【０００１】
本発明は、画像形成装置に関する。
【背景技術】
【０００２】
従来の画像形成装置として、例えば電子写真方式の画像形成装置が知られている。また、例えば複数の色を用いて作成された画像における色の違いを認識しやすくさせた画像処理装置、画像形成装置およびプログラムが提案されている。（例えば、特許文献１参照。）
【０００３】
また、今後、ＨＣＤ（ヒューマン・センタード・デザイン）を考慮して画像形成装置を設計するうえで、例えばカラーユニバーサルデザインを取り入れていく必要性が生じている。
【先行技術文献】
【特許文献】
【０００４】
【特許文献１】特開２０１０−２３２７３８号公報
【発明の概要】
【発明が解決しようとする課題】
【０００５】
従来の画像形成装置のエラー表示方法として、今までは例えば警告灯のみで対応していたエラー表示方法などが挙げられる。しかしながら、このような画像形成装置のエラー表示方法においては、画像形成装置から離れた場所では、警告灯によるエラー表示を認識するのは難しい場合があった。
【０００６】
このようなことに対応して、従来の画像形成装置においては、色の調整や、表示方法の工夫が行われている。一般的に画像形成装置のエラーや警告等の告知、表示方法は、ＬＥＤ（Light Emitting Diode）等の電燈／電灯等の表示、電子ブザー等の警告により行われている。
【０００７】
しかしながら、画像形成装置から離れた場所では、警告ブザー等を聞き逃すとエラー表示になかなか気付かない可能性がある。
【０００８】
本発明は、上記従来の課題を解決するものであって、画像形成装置の警告等を容易に認識可能な画像形成装置を提供することを目的とする。
【課題を解決するための手段】
【０００９】
上記課題を解決するために、本発明の画像形成装置は、装置本体と、前記装置本体に設けられた表示部と、前記装置本体に異常が生じたときに前記表示部を動かす制御部と、を備える、ようにしている。
【発明の効果】
【００１０】
本発明によれば、画像形成装置から離れた所からでも画像形成装置の警告等が認識しやすくなる。従って、画像形成装置の異常に早く気が付き早い対応をとることができる。また、より使いやすい画像形成装置を提供することができる。
【図面の簡単な説明】
【００１１】
【図１】本発明の実施例１に係る画像形成装置を示す斜視図である。
【図２】警告を行う表示部が点灯／点滅した状態を示す斜視図である。
【図３】警告を行う表示部が突出した状態を示す斜視図である。
【図４】本発明の実施例２に係る画像形成装置を示す斜視図である。
【図５】警告を行う表示部が立ち上げられた状態を示す斜視図である。
【発明を実施するための形態】
【００１２】
以下、本発明の実施の形態について、図面を参照しながら詳細に説明する。
【実施例１】
【００１３】
図１は、本発明の実施例１に係る画像形成装置（以下、プリンタという）を示す斜視図である。
【００１４】
このプリンタ１０は、内部に不図示の転写ベルトユニット、複数の画像形成ユニット、定着ユニット等を備えて構成されている。
【００１５】
このプリンタ１０は、電子写真式で二次転写方式のタンデム型のカラー画像形成装置として構成されている。
【００１６】
プリンタ１０を構成する転写ベルトユニット、４個の画像形成ユニット、定着ユニットは、プリンタ１０を構成する筐体１１の内部に収納されている。
【００１７】
プリンタ１０の筐体１１は、天壁１２と、各側壁１４と、前壁１５と、を備えて構成されている。天壁１２は、プリンタ１０の設置面に対してほぼ水平に形成され、側壁１４は、プリンタ１０の設置面に対してほぼ垂直に形成されている。
【００１８】
また、前壁１５は、例えば水平に対して略３０〜６０°の角度に傾けられて形成される。本例においては、前壁１５は、水平に対して例えば略４５°の角度に傾けられて形成されている。
【００１９】
プリンタ１０の筐体１１は、例えば略直方体状の箱状に形成されている。
【００２０】
筐体１１の天壁１２に、排紙トレー部１３が形成されている。排紙トレー部１３は、例えば文字、絵等の画像が形成されると共に画像が定着された不図示の用紙等の被印刷媒体が、プリンタ１０の装置本体内部から排出されたのちに載置される部分とされている。
【００２１】
また、プリンタ１０は、前方に前扉１６を備えている。転写ベルトユニット、画像形成ユニット等のキット類等の消耗品の着脱操作は、前扉１６を開いて、キット類を水平方向に略沿って入れ替えを行う操作とされている。
【００２２】
また、プリンタ１０の前扉１６の下側に、給紙カセット１７が備えられている。給紙カセット１７に用紙等の被印刷媒体が重ねられて備えられる。給紙カセット１７は、水平方向に略沿ってプリンタ１０の前方において挿抜可能に装備されている。
【００２３】
また、プリンタ１０を構成する筐体１１の前壁１５に、例えばプリンタ１０の電源ＯＮ、ＯＦＦ等の電源の入り切り操作等を実行可能な操作部２０が構成されている。
【００２４】
プリンタ１０の操作部２０は、操作パネル（表示部）２１と、複数の表示灯として、第１の表示灯（表示部）２２と、第２の表示灯（表示部）２３と、を備えて構成されている。
【００２５】
プリンタ１０の操作パネル２１は、プリンタ１０の状態を例えば液晶画面にて表示する例えばオペレーションパネルとして構成されている。
【００２６】
例えばプリンタ１０の各種詳細設定が行われるときに、操作パネル２１の液晶画面に表示される各種設定項目に基づいて各種設定内容を入力することにより、プリンタ１０に各種設定内容が定められる。
【００２７】
図２は、警告を行う表示部としての第１、第２の表示灯２２、２３が点灯／点滅した状態を示す斜視図である。
【００２８】
プリンタ１０の第１の表示灯２２は、プリンタ１０の電源が入っているときに、例えば緑色に点灯して、プリンタ１０の操作者にプリンタ１０の電源ＯＮ／ＯＦＦ状態を素早く容易に判断可能とさせている。
【００２９】
また、プリンタ１０の第２の表示灯２３は、プリンタ１０に異常が見られず通常の状態とされて印刷等の動作が可能とされているときに、例えば消灯または青色に点灯して、プリンタ１０の操作者にプリンタ１０が正常に使用可能な状態とされていることを素早く容易に判断可能とさせている。
【００３０】
図３は、警告を行う表示部としての第２の表示灯２３が突出した状態を示す斜視図である。
【００３１】
このプリンタ１０は、装置本体の異常を知らせる警告を行う表示部として、操作パネル２１、第１の表示灯２２、第２の表示灯２３を少なくとも備えて構成されている。装置本体に異常が生じたときに、装置本体に設けられた第２の表示灯２３が制御部によって動かされる。
【００３２】
警告を行う表示部として、ＬＥＤ（Light Emitting Diode）を含む第１の表示灯２２と、ＬＥＤを含む第２の表示灯２３と、が用いられる。装置本体に異常が生じたときに、プリンタ１０の筐体１１を構成する前壁１５から第２の表示灯２３が斜め上側に向けて突出する。
【００３３】
このような例えば色覚的な警告表示手段だけでなく、視覚的、その他に認識のできる警告表示手段を組み合わせて用いることができる。一般的にエラーや警告等の告知、表示方法は、ＬＥＤ／電燈が通例である為、これを基本とし、以下に他の警告表示手段の組み合わせ例を挙げる。
【００３４】
例えば装置本体に異常が生じたときに、第１、第２の表示灯２２、２３が赤色に点灯もしくは点滅する。
【００３５】
具体的に説明すると、このときに、例えば、第１、第２の表示灯２２、２３が共に赤色に点滅する。また、例えば、第１、第２の表示灯２２、２３が共に赤色に点灯してもよい。
【００３６】
また、例えば、第１の表示灯２２が赤色に点灯し、第２の表示灯２３が赤色に点滅してもよい。また、例えば、第１の表示灯２２が赤色に点滅し、第２の表示灯２３が赤色に点灯してもよい。
【００３７】
また、プリンタ１０の仕様等により、装置本体に異常が生じたときに、第１又は第２の表示灯２２、２３のうちの何れか一方または両方が、赤色と青色とに交互点滅するプリンタ１０も使用可能とされる。
【００３８】
具体的に説明すると、プリンタ１０の仕様等により、装置本体に異常が生じたときに、第１の表示灯２２が青色に点灯または点滅する。また、これと共に、第２の表示灯２３が赤色に点灯または点滅する。
【００３９】
また、例えば第１の表示灯２２が青色に光ったときに、第２の表示灯２３が消灯し、第１の表示灯２２が消灯したときに、第２の表示灯２３が赤色に光るというように、第１の表示灯２２と、第２の表示灯２３とが、異なる色にて交互に点滅することも可能とされる。
【００４０】
第１及び／又は第２の表示灯２２、２３を例えば赤色点灯または赤色点滅等させ、且つ、警告を行う表示部とされる第２の表示灯２３をプリンタ１０の筐体１１の前壁１５から斜め上側に向けて飛び出させることによって、操作者、ユーザーにプリンタ１０の異常をわかり易くさせる。
【００４１】
図１〜図３に示すように、プリンタ１０を構成する筐体１１の前壁１５に、飛び出し可能に第２の表示灯２３が設けられている。第２の表示灯２３は、図示しない突出用バネにより、前壁１５面から外部へ突出する方向に付勢されている。第２の表示灯２３は、ノック式のロック機構により、外部へ突出が阻止されている。装置本体の異常を検知すると、第２の表示灯２３のロックが解除され、図示しない伸出体が突出用バネの付勢力によって前壁１５面から外部へ突出する。突出した第２の表示灯２３を前壁１５面である後退位置に押し返すと、第２の表示灯２３がロックされる。例えばソレノイドを用いても良い。
【００４２】
プリンタ１０の異常に対応したのちには、例えば赤色点灯または赤色点滅等すると共に、プリンタ１０を構成する筐体１１の外側に向けて飛び出された第２の表示灯２３を筐体１１の内側に向けて押下させて元の状態に戻して警告を解除させれば、元の通常の使用可能な状態にプリンタ１０が戻る構造とされている。
【００４３】
プリンタ１０に異常が生じたときに、構造的／形状的にプリンタ１０の警告を行う第２の表示灯２３を変位させるので、操作者、ユーザーは、プリンタ１０に異常が生じたことを認識しやすくなる。
【００４４】
また、構造的／形状的にプリンタ１０の警告を行う第２の表示灯２３に変位があるため、プリンタ１０に異常が生じたとしても、操作者、ユーザーは、プリンタ１０から少し離れた場所からでも、その状態に気付きやすくなるという効果がある。
【００４５】
また、警告を行う表示部として操作パネル２１が用いられる。
【００４６】
装置本体に異常が生じたときに、操作パネル２１の文字表示が点滅表示もしくは強調文字表示の何れか一方または両方に変更される。
【００４７】
また、装置本体に異常が生じたときに、装置本体から装置本体の警報、警告等を通知する音／音声が連続して発せられる。装置本体は、例えば不図示の音声発生装置を備えている。
【００４８】
又は、装置本体に異常が生じたときに、装置本体から音／音声が断続的に繰り返して発せられる。
【００４９】
また、装置本体に異常が生じたときに、装置本体が連続して振動する。装置本体は、例えば不図示の振動発生装置を備えている。
【００５０】
又は、装置本体に異常が生じたときに、装置本体が断続的に繰り返して振動する。
【００５１】
上記各種警告表示手段を組み合わせることにより、すべてのユーザーにとって、プリンタ１０の警告等の認識は、より早くわかり易くなるという効果が得られる。
【００５２】
以上説明したようにプリンタ１０が構成されていれば、操作者、ユーザーは、プリンタ１０の異常を示す警告表示、案内表示等が離れたところ等からでも認識しやすくなる。従って、プリンタ１０に異常が生じても、操作者、ユーザーは、プリンタ１０の異常に早く気が付き、その結果、プリンタ１０の異常に対して早い対応をとることができる。
【００５３】
また、これまでの警告等の表示／通知方式に加え、形状、音、振動等の各種の警告等の表示／通知方式が組み合わせられることで、プリンタ１０から離れた場所でも、操作者、ユーザーは、プリンタ１０の異常を早く認識できる。
【００５４】
また、より使いやすいプリンタ１０を提供することができる。すべてのユーザーにとって、プリンタ１０のエラー表示、警告案内表示等を確実に判別可能なプリンタ１０を提供することができる。
【００５５】
色覚的表示に加え、視覚的、その他の各種警告表示手段の組み合わせに基づいて、プリンタ１０の異常を知らせる警告を告知、表示させることで、より使いやすいプリンタ１０が構成されることとなる。従って、より使いやすいプリンタ１０の提供が可能となる。
【実施例２】
【００５６】
図４は、本発明の実施例２に係る画像形成装置（以下、プリンタという）を示す斜視図である。
【００５７】
実施例１においては、図３に示すように、主に第１及び／又は第２の表示灯２２、２３を例えば赤色点灯または赤色点滅等させ、且つ、警告を行う表示部とされる第２の表示灯２３をプリンタ１０の筐体１１の前壁１５から斜め上側に向けて突出させるプリンタ１０の警告表示手段等について説明したが、実施例２においては、主に操作パネル４１をプリンタ３０の筐体３１の前壁３５から起き上がらせ、天壁３２に対して略垂直な位置に起き上がらせる警告表示手段等について説明する。
【００５８】
このプリンタ３０は、内部に不図示の転写ベルトユニット、複数の画像形成ユニット、定着ユニット等を備えて構成されている。
【００５９】
このプリンタ３０は、電子写真式で二次転写方式のタンデム型のカラー画像形成装置として構成されている。
【００６０】
プリンタ３０を構成する転写ベルトユニット、４個の画像形成ユニット、定着ユニットは、プリンタ３０を構成する筐体３１の内部に収納されている。
【００６１】
プリンタ３０の筐体３１は、天壁３２と、各側壁３４と、前壁３５と、を備えて構成されている。天壁３２は、プリンタ３０の設置面に対してほぼ水平に形成され、側壁３４は、略垂直に形成されている。
【００６２】
また、前壁３５は、例えば水平に対して略３０〜６０°の角度に傾けられて形成される。本例においては、前壁３５は、水平に対して例えば略４５°の角度に傾けられて形成されている。
【００６３】
プリンタ３０の筐体３１は、例えば略直方体状の箱状に形成されている。
【００６４】
筐体３１の天壁３２に、排紙トレー部３３が形成されている。排紙トレー部３３は、例えば文字、絵等の画像が形成されると共に画像が定着された不図示の用紙等の被印刷媒体が、プリンタ３０の装置本体内部から排出されたのちに載置される部分とされている。
【００６５】
また、プリンタ３０は、前方に前扉３６を備えている。転写ベルトユニット、画像形成ユニット等のキット類等の消耗品の着脱操作は、前扉３６を開いて、キット類を水平方向に略沿って入れ替えを行う操作とされている。
【００６６】
また、プリンタ３０の前扉３６の下側に、給紙カセット３７が備えられている。給紙カセット３７に用紙等の被印刷媒体が重ねられて備えられる。給紙カセット３７は、水平方向に略沿ってプリンタ３０の前方において挿抜可能に装備されている。
【００６７】
このプリンタ３０においては、給紙カセット３７に取っ手３８が装備されている。取っ手３８が給紙カセット３７に備えられることにより、給紙カセット３７は、水平方向に略沿ってプリンタ３０の前方に容易に引き出される。
【００６８】
また、プリンタ３０を構成する筐体３１の前壁３５に、例えばプリンタ３０の電源ＯＮ、ＯＦＦ等の電源の入り切り操作等を実行可能な操作部４０が構成されている。
【００６９】
プリンタ３０の操作部４０は、操作パネル４１を少なくとも備えて構成されている。
【００７０】
プリンタ３０の操作パネル４１は、プリンタ３０の状態を例えば液晶画面にて表示する例えばオペレーションパネルとして構成されている。
【００７１】
例えばプリンタ３０の各種詳細設定が行われるときに、操作パネル４１の液晶画面に表示される各種設定項目に基づいて各種設定内容を入力することにより、プリンタ３０に各種設定内容が定められる。
【００７２】
図５は、警告を行う表示部としての操作パネル４１が立ち上げられた状態を示す斜視図である。
【００７３】
このプリンタ３０においては、操作部４０は、各種設定内容を入力可能な操作パネル４１と、操作パネル４１を回動可能に支持するヒンジ部４２と、を備えて構成されている。
【００７４】
操作部４０にヒンジ部４２が備えられることで、この操作パネル４１は、所定の角度範囲内で回動可能な可動式の操作パネル４１として構成されている。
【００７５】
また、このプリンタ３０は、ヒンジ部４２を動かして操作パネル４１の前壁３５からの角度を変えることができる稼動手段としての図示しないモータ好ましくはステッピングモータと、装置本体の異常が生じたことを検知する検知部と、を備える。検知部が装置本体の異常を検知すると、稼動手段としてのモータにより天壁３２に対して垂直になるように操作パネル４１の角度を変更する。
【００７６】
このプリンタ３０は、装置本体の異常を知らせる警告を行う表示部としての操作パネル４１を少なくとも備えて構成されている。装置本体に異常が生じたときに、装置本体に設けられた操作パネル４１が制御部によって動かされる。
【００７７】
警告を行う表示部として操作パネル４１が用いられる。
【００７８】
装置本体に異常が生じたときに、筐体３１を構成する前壁３５に沿うように対応して水平に対して略３０〜６０°の角度で傾けられて、操作者にとって見やすい角度に設定されていた操作パネル４１が、矢印ａで示す方向に略沿って回動させられて、操作パネル４１は、筐体３１を構成する前壁３５から略垂直に立ち上がる。
【００７９】
通常、操作者が操作パネル４１を見やすくするために、操作パネル４１は、プリンタ３０の筐体３１の前壁３５に対して回動可能な構造とされている。例えば操作者が操作パネル４１をセットできる角度は、水平に対し略３０〜６０°の角度とされている。
【００８０】
プリンタ３０に異常が生じたときの警告表示時のみ、操作パネル４１が天壁３２の面に対して略垂直に起き上がるようにすることで、プリンタ３０が通常の使用可能な状態と、プリンタ３０に異常が生じてその警告表示が行われる状態とを区別することが可能となる。
【００８１】
プリンタ３０の異常に対応したのちには、天壁３２の面に対して略垂直に立ち上げられた操作パネル４１を前壁３５の面と同じ元の略３０〜６０°の角度に戻すように回動させて警告を解除させれば、元の通常の使用可能な状態にプリンタ３０が戻る構造とされている。
【００８２】
プリンタ３０に異常が生じたときに、構造的／形状的にプリンタ３０の警告を行う表示部である操作パネル４１を変位させるので、操作者、ユーザーは、プリンタ３０に異常が生じたことを認識しやすくなる。
【００８３】
また、構造的／形状的にプリンタ３０の警告を行う表示部である操作パネル４１に変位があるため、プリンタ３０に異常が生じたとしても、操作者、ユーザーは、プリンタ３０から少し離れた場所からでも、その状態に気付きやすくなるという効果がある。
【００８４】
また、装置本体に異常が生じたときに、操作パネル４１の文字表示が点滅表示もしくは強調文字表示の何れか一方または両方に変更される。
【００８５】
また、装置本体に異常が生じたときに、装置本体から装置本体の警報、警告等を通知する音／音声が連続して発せられる。装置本体は、例えば不図示の音声発生装置を備えている。
【００８６】
又は、装置本体に異常が生じたときに、装置本体から音／音声が断続的に繰り返して発せられる。
【００８７】
また、装置本体に異常が生じたときに、装置本体が連続して振動する。装置本体は、例えば不図示の振動発生装置を備えている。
【００８８】
又は、装置本体に異常が生じたときに、装置本体が断続的に繰り返して振動する。
【００８９】
上記各種警告表示手段を組み合わせることにより、すべてのユーザーにとって、プリンタ３０の警告等の認識は、より早くわかり易くなるという効果が得られる。
【００９０】
以上説明したようにプリンタ３０が構成されていれば、操作者、ユーザーは、プリンタ３０の異常を示す警告表示、案内表示等が離れたところ等からでも認識しやすくなる。従って、プリンタ３０に異常が生じても、操作者、ユーザーは、プリンタ３０の異常に早く気が付き、その結果、プリンタ３０の異常に対して早い対応をとることができる。
【００９１】
また、これまでの警告等の表示／通知方式に加え、形状、音、振動等の各種の警告等の表示／通知方式が組み合わせられることで、プリンタ３０から離れた場所でも、操作者、ユーザーは、プリンタ３０の異常を早く認識できる。
【００９２】
また、すべてのユーザーにとって、プリンタ３０のエラー表示、警告案内表示等を確実に判別可能なプリンタ３０を提供することができる。
【００９３】
色覚的表示に加え、視覚的、その他の各種警告表示手段の組み合わせに基づいて、プリンタ３０の異常を知らせる警告を告知、表示させることで、より使いやすいプリンタ３０が構成されることとなる。従って、より使いやすいプリンタ３０の提供が可能となる。
【００９４】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００９５】
装置本体と、前記装置本体に設けられた表示部と、前記装置本体に異常が生じたときに前記表示部を動かす制御部と、を備えることを特徴とする画像形成装置。
[付記２]
【００９６】
前記表示部として表示灯が用いられ、前記装置本体に異常が生じたときに、前記表示灯が突出することを特徴とする付記１記載の画像形成装置。
[付記３]
【００９７】
前記表示部として表示灯が用いられ、前記装置本体に異常が生じたときに、前記表示灯が赤色に点灯もしくは点滅することを特徴とする付記１又は２記載の画像形成装置。
[付記４]
【００９８】
前記表示部として表示灯が用いられ、前記装置本体に異常が生じたときに、前記表示灯が赤色と青色とに交互点滅することを特徴とする付記１乃至３の何れか１項に記載の画像形成装置。
[付記５]
【００９９】
前記表示部として操作パネルが用いられ、前記装置本体に異常が生じたときに、前記操作パネルが立ち上がることを特徴とする付記１記載の画像形成装置。
[付記６]
【０１００】
前記表示部として操作パネルが用いられ、前記装置本体に異常が生じたときに、前記操作パネルの文字表示が点滅表示もしくは強調文字表示の何れか一方または両方に変更されることを特徴とする付記１又は５記載の画像形成装置。
[付記７]
【０１０１】
前記装置本体に異常が生じたときに、前記装置本体から音が発せられることを特徴とする付記１乃至６の何れか１項に記載の画像形成装置。
[付記８]
【０１０２】
前記装置本体に異常が生じたときに、前記装置本体から音が断続して発せられることを特徴とする付記１乃至７の何れか１項に記載の画像形成装置。
[付記９]
【０１０３】
前記装置本体に異常が生じたときに、前記装置本体が振動することを特徴とする付記１乃至８の何れか１項に記載の画像形成装置。
[付記１０]
【０１０４】
前記装置本体に異常が生じたときに、前記装置本体が断続して振動することを特徴とする付記１乃至９の何れか１項に記載の画像形成装置。
【産業上の利用可能性】
【０１０５】
本発明は、画像形成装置の警告等を容易に認識可能な画像形成装置に利用することができる。
【符号の説明】
【０１０６】
１０、３０  プリンタ（画像形成装置）
１１、３１  筐体
１２、３２  天壁
１３、３３  排紙トレー部
１４、３４  側壁
１５、３５  前壁
１６、３６  前扉
１７、３７  給紙カセット
２０、４０  操作部
２１、４１  操作パネル（表示部）
２２  第１の表示灯（表示部）
２３  第２の表示灯（表示部）
３８  取っ手
４２  ヒンジ部
【図１】
2014151516.tif 000003
【図４】
2014151516.tif 000004
【図５】
2014151516.tif 000005
【図２】
2014151516.tif 000006
【図３】
2014151516.tif 000007